(57)【要約】      （修正有）【課題】スピーカ装置において、トランジェント特性を含めた高品音質化を維持し、低音と高音強調ができるようにする。【解決手段】複合スピーカ部ＳＰ（Ｌ）、ＳＰ（Ｒ）は低音用の第１の単位スピーカ部Ａと、高音用の第２の単位スピーカ部Ｂとを向き合わせて本体内に収納している。第１、第２の単位スピーカ部Ａ、Ｂの第１、第２の振動膜が同一方向に振動する。第１の単位スピーカ部Ａに音声信号を供給する第１の供給回路３７に第１の抵抗Ｒ１を、第２の単位スピーカ部Ｂに同じ音声信号を供給する第２の供給回路５５に第２の抵抗Ｒ２を直列接続する。第１（第２）のスイッチＳＷ１（ＳＷ２）は、第１の抵抗Ｒ１の短絡、第１、第２の抵抗Ｒ１、Ｒ２の開放、第２の抵抗Ｒ２の短絡を順次切り換える。【選択図】図４
2017118469.tif 000002
【特許請求の範囲】
【請求項１】
音声信号の印加によって第１の振動膜を振動させて発音するダイナミック型の第１の単位スピーカ部と、同じ前記音声信号の印加によって第２の振動膜を振動させ前記第１の単位スピーカ部とは周波数特性が異なる特性で発音するダイナミック型の第２の単位スピーカ部とを向き合わせた状態で同一本体内に収納してなる複合スピーカ部であって、前記第１および第２の振動膜が同一方向に振動される複合スピーカ部と、
前記第１の単位スピーカ部に前記音声信号を供給する第１の供給回路に直列的に挿入接続された第１の抵抗と、
前記第２の単位スピーカ部に前記音声信号を供給する第２の供給回路に直列的に挿入接続された第２の抵抗と、
前記第１の抵抗の短絡、前記第１および第２の抵抗の開放、前記第２の抵抗の短絡の３ポジションを順次切り換えるスイッチと、
を具備してなることを特徴とするスピーカ装置。
【請求項２】
前記第１の単位スピーカ部は低音まで発音する低音用に形成され、前記第２の単位スピーカ部は前記第１の単位スピーカ部より高音まで発音する高音用に形成されてなる請求項１記載のスピーカ装置。
【請求項３】
前記第１および第２の単位スピーカ部は、前記第１および第２の振動膜を僅かな間隔で対面させるとともに前記第１および第２の振動膜の間を密封又はほぼ密閉して配置されてなる請求項２項記載のスピーカ装置。
【請求項４】
前記第１の抵抗は前記第１の単位スピーカ部の内部抵抗の１／２から５倍以内の値に設定され、前記第２の抵抗は前記第２の単位スピーカ部の内部抵抗の１／２から５倍以内の値に設定されてなる請求項２又は３記載のスピーカ装置。
【請求項５】
２個一対の前記スピーカ装置の一方を左チャンネル用とし他方を右チャンネル用とし、左右チャンネルの前記音声信号を供給する主ケーブルとこの主ケーブルから分岐された左右チャンネルの分岐ケーブルとを有し、左チャンネルの前記分岐ケーブルは左チャンネルの前記第１および第２の供給部を形成し、右チャンネルの前記分岐ケーブルは右チャンネルの前記第１および第２の供給部を形成し、左右チャンネルの前記スピーカ装置における各々の前記スイッチは、外部からの動作によって一度に同じ前記切り換え動作をするスイッチ構成とされるとともに、当該分岐位置の近傍に配置されてなる請求項２〜４いずれか１記載のスピーカ装置。
【発明の詳細な説明】
【技術分野】
【０００１】
本発明はスピーカ装置に係り、特に、使用者の耳に装着するイヤホンやヘッドホンとして使用可能なスピーカ装置の改良に関する。
【背景技術】
【０００２】
従来、使用者の耳に装着するスピーカ装置としては、例えば図９に示すように、ケース本体１内に配置したカップ状ヨーク３内に円柱状マグネット（図９では隠れて見えない。）の一方の端面を固定し、このマグネットの他方の端面との間で間隔を置いて対面するように薄い振動膜５をヨーク３の先端に固定してヨーク３の開口部を覆い、振動膜５に固定した円筒状コイル（図９では隠れて見えない。）をマグネット３の外周とヨーク３内壁との間に間隔を置いて挿入した構成が良く知られている。
【０００３】
図９において、ケース本体１は、基部１ａとこの先端（図中右側）を覆う前面カバー１ｂからなっている。ヨーク３の開口部先端が前面カバー１ｂ内に固定されており、振動膜５の振動によって発音された音を外部へ導出する音通筒体７が前面カバー１ｂから一体的に突設され、音通筒体７には可撓性の図示しないイヤーチップ（イヤパット、イヤピース）が嵌められる。
【０００４】
このスピーカ装置では、振動膜５を振動させる駆動部９を上述したマグネットおよびコイルで形成し、外部からケーブル（図示省略）でコイルに音声信号を印加することによって振動膜５を振動させて発音させ、発音された音が音通筒体７の音通孔１１から外部へ伝搬される。
【０００５】
そして、この種のスピーカ装置は、図示は省略するが、例えば外耳道挿入型にして実際に製品化され、使用者の耳珠、対珠、耳甲介で囲まれた耳甲介腔に振動膜５を耳甲介に近接させるようにしてケース本体１を挿入するとともに、耳甲介腔から鼓膜へ延びる外耳道にイヤーチップを弾性的に当接させるように挿入して使用される。
【０００６】
このようなスピーカ装置では、発音する駆動音や歪みについて改善の余地があることから、本出願人は、新規のイヤホン装置を国際公開番号ＷＯ２０１４／０６１０９２号公報（特許文献１）をもって提案した。
【０００７】
このイヤホン装置は、第１のヨークと、この第１のヨークに支持された第１の振動膜と、その第１のヨーク内に支持され印加される音声信号によってその第１の振動膜を駆動させる第１の駆動部とを有する第１のスピーカ部を形成し、第２のヨークと、この第２のヨークに支持された第２の振動膜と、その第２のヨーク内に支持され印加されるその音声信号によってその第２の振動膜を駆動させる第２の駆動部とを有する第２のスピーカ部を形成している。
【０００８】
しかも、それら第１および第２の振動膜が間隔を置くとともにその間を気密状態にして対面するようそれら第１および第２のスピーカ部を配置して一体化し、それら第１および第２の振動膜が同方向に変位振動する構成である。
【０００９】
このようなイヤホン装置では、それら第１および第２のスピーカ部により、駆動音の増大を図るとともに、音質に悪影響のあるとされる奇数次の歪みを低減して駆動音の高品質化が可能である。
【先行技術文献】
【特許文献】
【００１０】
【特許文献１】ＷＯ２０１４／０６１０９２号公報
【発明の開示】
【発明が解決しようとする課題】
【００１１】
しかしながら、近年のスピーカ装置に対しては、一般のユーザから、使用者自身が好みの音質特性、特に高音や低音音圧を調整できる構成の要望が強くなっている。
【００１２】
このような要望に対して、上述した図９に示したスピーカ装置では、基部１ａにおけるヨーク３の背面に小孔１３ａを貫通形成したり、前面カバー１ｂに小孔１３ｂを貫通形成するとともに、それら小孔１３ａ、１３ｂを開けたり塞ぐことにより、図１０に示すように、低音音圧のレベル調整が可能であった。
【００１３】
さらに、上述した図９に示したスピーカ装置において、前面カバー１ｂ内部で音通孔１１を音響フィルタ１７で塞ぐことにより、図１０に示すように、高音音圧を低下調整することも可能であった。
【００１４】
しかしながら、図９に示す構成を、本出願人が提案した第１および第２のスピーカ部を対で配置した構成では、小孔１３ａ、１３ｂや音響フィルタ１５の形成・配置位置が第１および第２の複合スピーカ部に複雑に影響し、実用的な低音・高音の音圧レベル調整が困難であったり、左右のユニット別々に調整しなければならない不便さもあった。
【００１５】
さらに別の手法としては、図１１に示すように、単体のダイナミック型スピーカ構成の駆動コイル１７に音声信号源１９から音声信号を供給する供給回路において、音質調整用のコンデンサＣ１、Ｃ２を直列的および並列的に接続するとともに、それらコンデンサＣ１、Ｃ２の両端を短絡する切り換えスイッチｓｗ１、ｓｗ２を接続した構成も知られている。
【００１６】
この構成では、図１２に示すように、直列挿入されたコンデンサＣ１両端の短絡・開放によって低音の音圧レベル調整が可能であり、並列挿入されたコンデンサＣ２両端の短絡・開放によって高音の音圧レベル調整が可能となる。
【００１７】
しかし、図１１のような構成を、上述した本出願人が提案した構成に適用しようとすると、単体のスピーカ構成に対して２個ずつのコンデンサＣ１、Ｃ２およびスイッチｓｗ１、ｓｗ２を必要とし、回路構成が複雑化するうえ調整も煩雑となる難点がある。
【００１８】
しかも、構成部品の定数の選び方によっては、大型の部品を使わざるを得ない場合もあり、小型のイヤホンなどではスペースの確保も深刻な問題となるし、コンデンサ部品の選定によっては音質劣化に繋がる欠点がある。
【００１９】
そこで、本発明者は、上述した第１および第２のスピーカ部を配置してなる構成を観察・検討した結果、第１および第２のスピーカ部の特徴を生かすとともに、印加される音声信号の供給回路の抵抗値を変化させることにより、高音・低音の音圧強調の調整が可能であることを見出し、本発明を完成させた。
【００２０】
本発明はそのような課題を解決するためになされたもので、駆動音の増大を維持しつつ駆動音の高品質化が可能であり、音圧に係る周波数特性の調整、特に高音又は低音音圧の強調調整が可能なスピーカ装置の提供を目的とする。
【課題を解決するための手段】
【００２１】
そのような課題を解決するために本発明のスピーカ装置は、音声信号の印加によって第１の振動膜を振動させて発音するダイナミック型の第１の単位スピーカ部と、同じ音声信号の印加によって第２の振動膜を振動させその第１の単位スピーカ部とは周波数特性が異なる特性で発音するダイナミック型の第２の単位スピーカ部とを向き合わせた状態で同一本体内に収納してなる複合スピーカ部であって、それら第１および第２の振動膜が同一方向に振動される複合スピーカ部と、その第１の単位スピーカ部にその音声信号を供給する第１の供給回路に直列的に挿入接続された第１の抵抗と、その第２の単位スピーカ部にその音声信号を供給する第２の供給回路に直列的に挿入接続された第２の抵抗と、その第１の抵抗の短絡、それら第１および第２の抵抗の開放、その第２の抵抗の短絡の３ポジションを順次切り換えるスイッチとを具備している。
【００２２】
本発明のスピーカ装置は、上記第１の単位スピーカ部を低音まで発音する低音用に形成し、上記第２の単位スピーカ部をその第１の単位スピーカ部より高音まで発音する高音用に形成してなる構成も可能である。
【００２３】
本発明のスピーカ装置は、上記第１および第２の単位スピーカ部が、それら第１および第２の振動膜を僅かな間隔で対面させるとともに第１および第２の振動膜の間を密封又はほぼ密閉して配置される構成も可能である。
【００２４】
本発明のスピーカ装置は、上記第１の抵抗が第１の単位スピーカ部の内部抵抗の１／２から５倍以内の値に設定され、上記第２の抵抗が第２の単位スピーカ部の内部抵抗の１／２から５倍以内の値に設定される構成も可能である。
【００２５】
本発明のスピーカ装置は、２個一対のそれらスピーカ装置の一方を左チャンネル用とし他方を右チャンネル用とし、左右チャンネルの前記音声信号を供給する主ケーブルとこの主ケーブルから分岐された左右チャンネルの分岐ケーブルとを有し、左チャンネルの分岐ケーブルは左チャンネルのそれら第１および第２の供給部を形成し、右チャンネルの分岐ケーブルは右チャンネルのそれら第１および第２の供給部を形成し、左右チャンネルのスピーカ装置における各々のスイッチは、外部からの動作によって一度に同じ切り換え動作をするスイッチ構成とされるとともに、当該分岐位置の近傍に配置されてなる構成も可能である。
【発明の効果】
【００２６】
このような本発明のスピーカ装置では、周波数特性が異なる特性で発音するダイナミック型の第１および第２の単位スピーカ部を向き合わせるとともに、第１および第２の振動膜が同一方向に振動される複合スピーカ部を形成し、その第１の単位スピーカ部への第１の供給回路に第１の抵抗を、その第２の単位スピーカ部への第２の供給回路に第２の抵抗を各々直列的に挿入接続し、その第１の抵抗の短絡、それら第１および第２の抵抗の開放、その第２の抵抗の短絡の３ポジションを順次切り換えるスイッチを具備しているので、駆動音の増大を維持しつつ駆動音の高品質化が可能であるうえ、再生音の音圧に係る強調調整が可能である。
【００２７】
本発明のスピーカ装置では、上記第１の単位スピーカ部を低音まで発音する低音用に形成し、上記第２の単位スピーカ部をその第１の単位スピーカ部より高音まで発音する高音用に形成してなる構成では、特に、低音域および高音域の強調調節が可能である。
【００２８】
本発明のスピーカ装置では、上記第１および第２の単位スピーカ部の第１および第２の振動膜を僅かな間隔で対面させ、第１および第２の振動膜の間を密封又はほぼ密閉して配置すれば、特に、低音域および高音域の安定・確実な強調調節が可能である。
【００２９】
本発明のスピーカ装置では、上記第１、第２の抵抗を当該第１、第２の単位スピーカ部の内部抵抗の１／２から５倍以内の値に設定すれば、実用的な範囲で音圧の強調調整が可能である。
【００３０】
本発明のスピーカ装置では、２個一対のそれらスピーカ装置の一方を左チャンネル用とし他方を右チャンネル用とし、左右チャンネル用のそれらスピーカ装置の各々のスイッチを、外部動作によって一度に同じ切り換え動作させるスイッチ構成とし、第１および第２の供給部を形成する左右チャンネルの分岐ケーブルにおける主ケーブルからの分岐位置近傍に配置することにより、左右チャンネルの音圧強調調整が可能であるうえ、外部から左右両チャンネルのスイッチ操作が一度に簡単に行える。
【図面の簡単な説明】
【００３１】
【図１】本発明に係るスピーカ装置の実施に適した複合スピーカ部の一例を示す縦断面図である。
【図２】図１の複合スピーカ部に係る要部を示す概略断面図である。
【図３】図１の複合スピーカ部の動作を説明する波形図である。
【図４】本発明に係るスピーカ装置の実施の形態例を示す回路図である。
【図５】図４のスピーカ装置の動作を説明する要部回路図である。
【図６】図４のスピーカ装置に係る特性図である。
【図７】図４のスピーカ装置に係る特性図である。
【図８】図４のスピーカ装置を実際の製品に応用した例を示す外観図である。
【図９】従来のスピーカ装置を示す断面図である。
【図１０】図９のスピーカ装置の特性図である。
【図１１】従来のスピーカ装置を示す回路図である。
【図１２】図１１のスピーカ装置の特性図である。
【発明を実施するための最良の形態】
【００３２】
以下、本発明に係るスピーカ装置の実施の形態を、図面を参照して説明する。
まず、本発明に係るスピーカ装置に用いる複合スピーカ部ＳＰを図１、図２を参照して説明する。
【００３３】
図１において、本発明に用いる複合スピーカ部ＳＰは、第１の単位スピーカ部Ａとこれとほぼ同一形状の第２の単位スピーカ部Ｂを互いに対面するよう共軸的に配置し、一体化して形成された複合スピーカ部である。
【００３４】
第１の単位スピーカ部Ａは、図２に示すように、磁性体製でカップ状の第１のヨーク２１と、この第１のヨーク２１に支持された第１の振動膜２３と、音声信号によってその第１の振動膜２３を駆動させる第１の駆動部２５とを有している。
【００３５】
第１のヨーク２１の内底部には、円筒状の第１のマグネット２７の一端面が重ねられるとともに、他方の端面には磁性体性材料からリング状に形成された第１の抑え板２９が重ねられ、第１のヨーク２１の外底部には第１の回路基板３１が重ねられている。
【００３６】
第１のヨーク２１の内底部、第１のマグネット２７、第１の抑え板２９および第１の回路基板３１の各中央部には第１の支持筒３３が貫通され、この第１の支持筒３３の両先端が拡開するようにかしめ加工され、それら第１のマグネット２７および第１の抑え板２９が第１のヨーク２１内に、第１の回路基板３１が第１のヨーク２１の外底部に固定されている。
【００３７】
第１のヨーク２１の開放端側において、第１のマグネット２７と間隔を置いて対面するように、上述した薄い第１の振動膜２３が第１のヨーク２１の先端に固定され、これによって第１のヨーク２１の開口部が覆われている。
【００３８】
第１の振動膜２３には円筒状の第１のコイル３５の一方の端面側が固定されており、第１のコイル３５が第１のマグネット２７の外周に僅かな間隔を置いて挿入配置されている。第１のマグネット２７および第１のコイル３５によって上述した第１の駆動部２５が形成されている。
【００３９】
第１の回路基板３１は、外部から音声信号を供給する第１の供給回路（ケーブル）３７が接続された端子（＋）を有し、第１のヨーク２１および第１の振動膜２３に配置された図示しないリード線により、その音声信号が第１のコイル３５に供給されるようになっている。第１の回路基板３１の端子（−）はグランドラインＧに接続されている。
【００４０】
第２の単位スピーカ部Ｂは、磁性体製でカップ状の第２のヨーク３９と、この第２のヨーク３９に支持された第２の振動膜４１と、音声信号によってその第２の振動膜４１を駆動させる第２の駆動部４３とを有している。
【００４１】
第２のヨーク３９の内底部には、円筒状の第２のマグネット４５の一端面が重ねられるとともに他方の端面に磁性体性材料からリング状に形成された第２の抑え板４７が重ねられ、第２のヨーク３９の外底部には第２の回路基板４９が重ねられている。
【００４２】
第２のヨーク３９の内底部、第２のマグネット４５、第２の抑え板４７および第２の回路基板４９の各中央部には第２の支持筒５１が貫通され、この第２の支持筒５１の両先端が拡開するようにかしめ加工され、それら第２のマグネット４５および第２の抑え板４７が第２のヨーク３９内に、第２の回路基板４９が第２のヨーク３９の外底部に固定されている。
【００４３】
第２のヨーク３９の開放端側において、それと間隔を置いて対面するように、上述した薄い第２の振動膜４１が第２のヨーク３９の先端に固定され、第２のヨーク３９の開口部が覆われている。
【００４４】
第２の振動膜４１には円筒状の第２のコイル５３の一方の端面側が固定されており、第２のコイル５３が第２のマグネット４５の外周に僅かな間隔を置いて挿入配置されている。第２のマグネット４５および第２のコイル５３によって上述した第２の駆動部４３が形成されている。
【００４５】
第２の回路基板４９は、端子（＋）、（−）を有し、外部から音声信号を供給する第２の供給回路（ケーブル）５５にその端子（−）が接続され、その端子（＋）が第１の回路基板３１の端子（−）に接続され、第２のヨーク３９および第２の振動膜４１に配置された図示しないリード線により、第１のコイル３３とは逆位相の同じ音声信号が第２のコイル５３に供給されるようになっている。
【００４６】
第１および第２の単位スピーカ部Ａ、Ｂは、第１および第２の振動膜２３、４１を僅かな間隔を置いて対面するように扁平かつ環状の連結部材５７によって支持固定されて一体化されるとともに、第１および第２の振動膜２３、４１間が気密（密封）されている。
【００４７】
第１の単位スピーカ部Ａは低音まで発音するように上述した各構成部材が選択され、第２の単位スピーカ部Ｂは第１の単位スピーカ部Ａはより高音まで発音するように上述した各構成部材が選択されている。
【００４８】
図１に戻って、第１の単位スピーカ部Ａは、第１のヨーク２１、第１の回路基板３１を覆うようにしてカップ状の合成樹脂性ハウジング５９が被せられて連結部材５７に嵌るように固定されている。第１および第２の供給回路３７、５５はハウジング５９から導出されている。
【００４９】
第２の単位スピーカ部Ｂには、第２のヨーク３９および第２の回路基板４９を覆うようにして環状で扁平な合成樹脂性カバー６１が被せられ、連結部材５７を間に置くようにしてカバー６１が連結部材５７に固定されている。
【００５０】
これらハウジング５９、連結部材５７およびカバー６１は接着剤（図示せず）等によって固着されて一体化されており、連結部材５７に支持された第１および第２の単位スピーカ部Ａ、Ｂが、ハウジング５９およびカバー６１に包まれて保護されている。
【００５１】
カバー６１には、第２の単位スピーカ部Ｂの中心軸に対して斜め方向に突出する合成樹脂性の音通筒体６３が固定されており、それら第１および第２の振動膜２３、４１の振動によって発音された音が音通筒体６３から外部へ伝搬されるようになっている。
【００５２】
第２の単位スピーカ部Ｂの底部には、発音された駆動音を音通筒体６３へ音通する音通孔６５が形成されている。音通筒体６３の先端側外周には、可撓性合成樹脂からなるイヤーチップ６７が着脱可能に嵌められている。なお、図１中の符号６９は第１、第２の回路基板３１、４９を接続するケーブルである。
【００５３】
このような複合スピーカ部ＳＰでは、第１および第２の供給回路３７、５５を介して第１および第２の単位スピーカ部Ａ、Ｂの第１および第２のコイル３５、５３へ音声信号を印加することにより、第１および第２の駆動部２５、４３が第１および第２の振動膜２３、４１を振動させて発音し、第２の単位スピーカ部Ｂの音通孔６５、カバー６１の音通筒体６３から音が外部へ伝搬される。
【００５４】
また、スピーカ部ＳＰは、図示はしないが、耳珠、対珠、耳甲介で囲まれた耳甲介腔にハウジング６９やカバー６１を収納するとともに、先端のイヤーチップ６７を外耳道に挿入して装着使用される。
【００５５】
しかも、第１および第２の単位スピーカ部Ａ、Ｂの第１および第２のコイル３５、５３は、図２に示すように、逆位相で同じ音声信号が各々印加されるように接続されており、第１および第２の振動膜２３、４１が僅かな間隔を置いて対面配置されるとともにその間が気密状態になっているから、第１および第２の振動膜２３、４１が同じ方向にほぼ同じ振動変位を発生させ、大きな振動音を生じさせる。
【００５６】
この点、従来のように第１又は第２の単位スピーカ部Ａ、Ｂ単体では、スピーカ部の構造と振動膜の形状からして、入力信号が大きい場合、振動膜の動作は上（凸）方向と下（凹）方向で対称の振動とはならず、図３Ａ又はＢに示すように、一般的に振動の片側から歪が発生し出し易く、第１および第２の振動膜２３、４１の振動が対称になり難い。
【００５７】
しかし、上述したように逆向きに対向された第１および第２の単位スピーカ部Ａ、Ｂの第１および第２の振動膜２３、４１が同時、かつ同じ方向へ同じ振動幅で振動することにより、互いにその歪が補完され、同図Ｃの合成波形に示すように、第１および第２の振動膜２３、４１の振動が対称になり易くて歪みが少なく、波形も大きくなる。
【００５８】
次に、本発明に係るスピーカ装置の実施の形態を、図４を参照して説明する。
図４は、上述した図１および図２に係る複合スピーカ部ＳＰを２個一対用い、一方（図４中左側）を左チャンネル用とし、他方（同図中右側）を右チャンネル用とした本発明に係るスピーカ装置の実施の形態を示すものである。
【００５９】
複合スピーカ部ＳＰ（Ｌ）は左チャンネル用、複合スピーカ部ＳＰ（Ｒ）は右チャンネル用のものであり、左右チャンネル用のスピーカ装置ＳＰ（Ｌ）、ＳＰ（Ｒ）は回路的には左右対称であるうえ、本発明に係るスピーカ装置は何れか一方のモノラル用としたスピーカ装置だけでも成立するので、以下、例えば左チャンネル用のスピーカ装置を説明する。
【００６０】
図４において、図１および図２に示した複合スピーカ部ＳＰ（Ｌ）の第１の単位スピーカ部Ａは、低音まで発音する低音用に形成され、例えば３２Ω程度の内部抵抗を有しており、これを形成する第１のコイル３５の一端にはその内部抵抗と同程度の抵抗値（３２Ω）を有する第１の抵抗Ｒ１の一端が接続されている。なお、複合スピーカ部ＳＰ（Ｌ）は簡略化した図示されている（以下同じ。）。
【００６１】
図１および図２に示した複合スピーカ部ＳＰ（Ｌ）の第２の単位スピーカ部Ｂは、第１の単位スピーカ部Ａより高音まで発音する高音用に形成され、例えば１６Ω程度の内部抵抗を有しており、これを形成する第２のコイル５３の一端には、その内部抵抗と同程度の抵抗値（１６Ω）を有する第２の抵抗Ｒ２の一端が接続されている。
【００６２】
第１の抵抗Ｒ１は、第１の単位スピーカ部Ａにおける第１のコイル３５への音声信号を供給する第１の供給回路３７に直列的に挿入接続されており、第２の抵抗Ｒ２は、第２の単位スピーカ部Ｂにおける第２のコイル５３への音声信号を供給する第２の供給回路５５に直列的に挿入接続されている。
【００６３】
第１および第２の供給回路３７、５５、すなわち第１および第２の抵抗Ｒ１、Ｒ２の他端どうしは共通接続され、グランドラインＧに接続されている。
【００６４】
第１および第２の単位スピーカ部Ａ、Ｂの第１および第２のコイル３５、５３の他端どうしは共通接続され、左チャンネルの音声信号の信号ラインＬとなって音声信号源（図４では図示せず。）に接続されている。
【００６５】
第１および第２の抵抗Ｒ１、Ｒ２の両端には、これら両端の短絡と開放とを切り換える第１のスイッチＳＷ１が接続されている。
【００６６】
第１のスイッチＳＷ１は、第１の抵抗Ｒ１の第１の単位スピーカ部Ａ（第１のコイル３５）側の接点Ｐ１、第１の抵抗Ｒ１と第２の抵抗Ｒ２の接続点の接点Ｐ２、第２の抵抗Ｒ２の他方の接点Ｐ３、接点Ｐ２とＰ３間のノンコンタクト接点ＮＣを有するとともに、それら接点Ｐ１とＰ２間、接点Ｐ２とＮＣ間、接点Ｐ２とＰ３間を短絡する可動接点Ｔ１を有し、１回路３接点構成のものである。
【００６７】
外部からの可動接点Ｔ１のスライド操作により、可動接点Ｔ１が第１の抵抗Ｒ１両端のみの短絡（接点Ｐ１とＰ２間の短絡：第１のポジション）、図５Ａに示すように、第１および第２の抵抗Ｒ１、Ｒ２両端の開放（接点Ｐ２とＮＣ間の短絡：第２のポジション）、同図Ｂに示すように、第２の抵抗Ｒ２両端のみの短絡（接点Ｐ２とＰ３間の短絡：第３のポジション）の３ポジションに切り換えられる。
【００６８】
３ポジションの切り換え動作は、第１の抵抗Ｒ１から第２の抵抗Ｒ２へ、逆に、第２の抵抗Ｒ２から第１の抵抗Ｒ１への双方向が可能である。
【００６９】
このような構成の左チャンネル用のスピーカ装置ＳＰ（Ｌ）では、第１および第２の単位スピーカ部Ａ、Ｂの第１および第２のコイル３５、５３に対し、第１、第２の抵抗Ｒ１、Ｒ２の挿入された第１、第２の供給回路３７、５５を介して音声信号が供給されて発音動作する。
【００７０】
第１のスイッチＳＷ１によって第１、第２の抵抗Ｒ１、Ｒ２両端を開放した状態、すなわち第１の供給回路３７に第１の抵抗Ｒ１を挿入した状態では、第１の単位スピーカ部Ａが、当該内部抵抗と第１の抵抗Ｒ１とで分圧された駆動電圧で駆動し、第２の供給回路５５に第２の抵抗Ｒ２を挿入した状態では、第２の単位スピーカ部Ｂが、当該内部抵抗と第２の抵抗Ｒ２とで分圧された駆動電圧で駆動し、各々発音する。
【００７１】
図６は複合スピーカ部ＳＰ（Ｌ）の周波数特性であり、同図中の実線ａは低音用の第１の単位スピーカ部Ａのものであり、同図中の破線ｂは高音用の第２の単位スピーカ部Ｂのものである。
【００７２】
他方、第１のスイッチＳＷ１によって第１又は第２の抵抗Ｒ１、Ｒ２両端を短絡した状態では、外部から供給された音声信号のままの高い駆動電圧で第１又は第２の単位スピーカ部Ａ、Ｂが駆動して発音する。
【００７３】
そのため、第１のスイッチＳＷ１で第１、第２の抵抗Ｒ１、Ｒ２両端を開放した状態において、第１、第２の単位スピーカ部Ａ、Ｂの合成音圧周波数特性を平坦（フラット）に近づけた状態に構成しておくことにより、第１の抵抗Ｒ１のみを短絡状態にすれば低音音圧が強調され、第２の抵抗Ｒ２のみを短絡状態にすれば高音音圧が強調される。
【００７４】
第１のスイッチＳＷ１の切り換え操作によって、それら低音強調、フラット、高音強調を連続的に切り換えることが可能である。
【００７５】
図７はその周波数特性を示すもので、同図中の実線Ｐ１は低音域の強調された音圧周波数特性を、破線Ｐ２はフラットな音圧周波数特性を、一点鎖線Ｐ３は高音域の強調された音圧周波数特性を示している。
【００７６】
これによると、左チャンネル用のスピーカ装置において、第１のスイッチＳＷ１により、第１の抵抗Ｒ１両端を短絡した状態では低音域の強調された特性となり、第１および第２の抵抗Ｒ１、Ｒ２の両端を開放した状態ではフラットな状態となり、第２の抵抗Ｒ２の両端を短絡した状態では高音域の強調された特性が得られる。
【００７７】
右チャンネル用のスピーカ装置は、右チャンネル用の複合スピーカ部ＳＰ（Ｒ）および第２のスイッチＳＷ２を用い、右チャンネル用の音声信号（Ｒ）の供給によって動作する。それらは、左チャンネル用の複合スピーカ部ＳＰ（Ｌ）および第１のスイッチＳＷ１と構成、機能および動作が同様であり、第１および第２の供給回路３７、５５、第１の抵抗Ｒ１および第２の抵抗Ｒ２も同様の値や特性であるから、可能な限り同一の符号を付す。
【００７８】
第２のスイッチＳＷ２は、第１のスイッチＳＷ１と同様に、可動接点Ｔ１と同様な可動接点Ｔ２および第１のスイッチＳＷ１と同様な接点Ｐ１、Ｐ２、ＮＣ、Ｐ３を有し、可動接点Ｔ２のスライド動作によって第１のスイッチＳＷ１と同様に接点Ｐ１とＰ２間（第１のポジション）、端子Ｐ２とＮＣ間（第２のポジション）、端子Ｐ２とＰ３間（第３のポジション）の３ポジションを切り換えるものである。
【００７９】
しかも、第１および第２のスイッチＳＷ１、ＳＷ２は、外部からのスライド操作によって可動接点Ｔ１、Ｔ２が一度に同じスライド動作をして切り換え動作をする２回路３接点スイッチ（複合スイッチ７１）構成となっている。
【００８０】
このように、左右チャンネル用の本発明のスピーカ装置では、第１および第２のスイッチＳＷ１、ＳＷ２の動作により、左右チャンネンルにおける再生音（ステレオ音声）の低音強調、フラット、高音強調が同一かつ連続的に切り換え可能である。
【００８１】
なお、第１および第２のスイッチＳＷ１、ＳＷ２は個別の独立したものであってもよいが、ユーザの操作性確保の観点から、上述したように、複合スイッチ７１の構成が好ましい。
【００８２】
このように、本発明のスピーカ装置では、音声信号の印加によって第１の振動膜２３を振動させて低音まで発音する低音用ダイナミック型の第１の単位スピーカ部Ａと、同じ音声信号の印加によって第２の振動膜４１を振動させて高音まで発音する高音用ダイナミック型の第２の単位スピーカ部Ｂとを向き合わせた状態で同一ハウジング（本体）５９内に収納してなる複合スピーカ部ＳＰ（Ｌ）又はＳＰ（Ｒ）であって、それら第１および第２の振動膜２３、４１が同一方向に振動される複合スピーカ部ＳＰ部（Ｌ）又はＳＰ（Ｒ）と、その第１の単位スピーカ部Ａにその音声信号を供給する第１の供給回路３７に直列的に挿入接続された第１の抵抗Ｒ１と、その第２の単位スピーカ部Ｂにその音声信号を供給する第２の供給回路５５に直列的に挿入接続された第２の抵抗Ｒ２と、その第１の抵抗Ｒ１のみの短絡、それら第１および第２の抵抗Ｒ１、Ｒ２の開放、その第２の抵抗Ｒ２のみの短絡の３ポジションを順次切り換える第１（第２）のスイッチＳＷ１（ＳＷ２）とを具備している。
【００８３】
そのため、第１（第２）のスイッチＳＷ１（ＳＷ２）を切り換えることにより、駆動音の増大を維持しつつ駆動音の高品質化が可能であるうえ、音圧に係る周波数特性の調整、特に、低音音圧および高音音圧の強調調整が可能である。
【００８４】
従来、音圧の強調調整は、音響的に調整することが難しく、電源を要する電子的なグラフィックイコライザーなどによることが一般的であるが、本発明のスピーカ装置では、抵抗とスイッチの組合せという簡単な構成で実現可能である。
【００８５】
さらに、本発明のスピーカ装置では、電源・電子回路を別途伴わない抵抗とスイッチの組合せだけのパッシブ構成ではあるが、低音強調（ローブースト）、高音強調（ハイブースト）の実現が容易である。
【００８６】
図８は、図４に示すスピーカ装置を製品化した状態で示す斜視図である。
図８において、左チャンネル用の複合スピーカ部ＳＰ（Ｌ）に対する第１のスイッチＳＷ１と、右チャンネル用の複合スピーカ部ＳＰ（Ｒ）に対する第２のスイッチＳＷ２とは、外部からの動作によって一度に３ポジションを切り換え動作する上述した複合スイッチ７１として同一筐体に収納構成されている。
【００８７】
複合スイッチ７１は、左右チャンネル用の音声信号を供給する主ケーブル７３から、左チャンネル用の複合スピーカ部ＳＰ（Ｌ）に左チャンネル用の音声信号を分配供給する左チャンネル用の分配ケーブル７３ａと、右チャンネル用の複合スピーカ部ＳＰ（Ｒ）に右チャンネル用の音声信号を分配供給する右チャンネル用の分配ケーブル７３ｂの途中であって、主ケーブル７３からの分岐位置近くに挿入されている。
【００８８】
分配ケーブル７３ａは、左チャンネル用の複合スピーカ部ＳＰ（Ｌ）に対する第１、第２の供給回路３７、５５としてのものであり、分配ケーブル７３ｂは、右チャンネル用の複合スピーカ部ＳＰ（Ｒ）に対する第１、第２の供給回路３７、５５としてのものである。
【００８９】
図８中の複合スイッチ７１における符号LOは低音強調ポジション（第１のポジション）を、符号FLATはフラットポジション（第２のポジション）を、符号HIは高音強調ポジション（第３のポジション）を示しており、外部からユーザによるつまみ７５のスライド操作によって可動接点Ｔ１、Ｔ２（図８では見えない。）をスライドさせる。
【００９０】
図８中の符号７７は、主ケーブル７３の一端に接続され音響機器（図示省略）に接続するプラグである。
【００９１】
このように、本発明のスピーカ装置では、２個一対のそれらスピーカ装置の一方を左チャンネル用とし他方を右チャンネル用とし、左右チャンネルの音声信号を供給する主ケーブル７３とこの主ケーブル７３から分岐された左右チャンネルの分岐ケーブル７３ａ、７３ｂとを有し、左チャンネルの分岐ケーブ７３ａで左チャンネルのそれら第１および第２の供給部３７、５５を形成し、右チャンネルの分岐ケーブル７３ｂで右チャンネルのそれら第１および第２の供給部３７、５５を形成し、左右チャンネルのスピーカ装置における第１、第２のスイッチＳＷ１、ＳＷ２は、外部からの動作によって一度に同じ切り換え動作をするスイッチ構成とするとともに当該分岐位置の近傍に配置されている。
【００９２】
そのため、上述した効果に加えて、つまみ７５のスライド操作により、左右チャンネル用の第１、第２のスイッチＳＷ１、ＳＷ２が一度に操作され、左右チャンネルの音圧強調調整、特に低音および高音の強調調整が一度に可能である。
【００９３】
そして、本発明において、第１、第２の抵抗Ｒ１、Ｒ２の抵抗値は、第１、第２の単位スピーカ部Ａ、Ｂの当該内部抵抗の１／２から５倍以内の値に設定すれば、実用的な低音音圧や高音音圧の範囲内での強調調整が可能である。もっとも、当該内部抵抗の０．７〜２倍程度の範囲がより好ましいであろう。
【００９４】
本発明に用いる複合スピーカ部ＳＰ、ＳＰ（Ｌ）、ＳＰ（Ｒ）において、第１および第２の単位スピーカ部Ａ、Ｂ間の気密状態は、完全又は厳格な気密状態ではなく、振動周波数特性に影響しない程度の状態であればよく、それら第１および第２の振動膜２３、４１が一体的に振動可能であれば、例えば上述した小孔や僅かな隙間を形成することが可能である。
【００９５】
そして、本発明に用いる複合スピーカ部ＳＰ、ＳＰ（Ｌ）、ＳＰ（Ｒ）では、第１および第２の単位スピーカ部Ａ、Ｂを各々同形状にしたり、互いに共軸状に配置する必要はないが、同形状に形成したり共軸状に配置することにより、双方の特性が揃うことによって一層の駆動音の高品質化が可能である。
【００９６】
また、本発明に用いる複合スピーカ部ＳＰ、ＳＰ（Ｌ）、ＳＰ（Ｒ）は、周波数特性が異なるものの構成の同じ共通した第１および第２の単位スピーカ部Ａ、Ｂに用いることが可能となり、コストを高騰させ難く、組み立ても簡素化される。
【００９７】
さらに、本発明のスピーカ装置における上記第１および第２の単位スピーカ部Ａ、Ｂは、第１および第２のヨーク２１、３９、第１および第２のマグネット２７、４５、第１および第２の振動膜２３、４１、第１および第２のコイル３５、５３で形成する構成に限定されず、第１および第２のヨーク２１、３９、これらに支持された第１および第２の振動膜２３、４１、その第１のヨーク２１、３９内に支持され印加される音声信号によって第１および第２の振動膜２３、４１を駆動させる第１および第２の駆動部２５、４３とを有する構成とし、第１および第２の駆動部２５、４３によって第１および第２の振動膜２５、４３を駆動させる構成であれば、本発明の目的達成が可能である。
【符号の説明】
【００９８】
１  ケース本体
１ａ  基部
１ｂ  前面カバー
３  ヨーク
５  振動膜
７、６３  音通筒体
９  駆動部
１１  音通孔
１３、１５  小孔
１５  音響フィルタ
１７  駆動コイル
１９  音声信号源
２１  第１のヨーク
２３  第１の振動膜
２５  第１の駆動部
２７  第１のマグネット
２９  第１の抑え板
３１  第１の回路基板
３３  第１の支持筒
３５  第１のコイル
３７  第１の供給回路（ケーブル）
３９  第２のヨーク
４１  第２の振動膜
４３  第２の駆動部
４５  第２のマグネット
４７  第２の抑え板
４９  第２の回路基板
５１  第２の支持筒
５３  第２のコイル
５５  第２の供給回路（ケーブル）
５７  連結部材
５９  ハウジング
６１  カバー
６５  音通孔
６７  イヤーチップ
６９  ケーブル
７１  複合スイッチ
７３  主ケーブル
７３ａ  分配ケーブル（第１の供給回路）
７３ｂ  分配ケーブル（第２の供給回路）
７５  つまみ
７７  プラグ
Ａ  第１の単位スピーカ部
Ｂ  第２の単位スピーカ部
Ｃ１、Ｃ２  コンデンサ
Ｇ  グランドライン
ＮＣ  接点（ノンコンタクト）
ＳＰ、ＳＰ（Ｌ）、ＳＰ（Ｒ）  複合スピーカ部
ＳＷ１  第１のスイッチ（複合スイッチ）
ＳＷ２  第２のスイッチ（複合スイッチ）
ｓｗ１、ｓｗ２  スイッチ
Ｐ１、Ｐ２、Ｐ３  接点
Ｔ１、Ｔ２  可動接点
【図１】
2017118469.tif 000003
【図２】
2017118469.tif 000004
【図３】
2017118469.tif 000005
【図４】
2017118469.tif 000006
【図５】
2017118469.tif 000007
【図６】
2017118469.tif 000008
【図７】
2017118469.tif 000009
【図８】
2017118469.tif 000010
【図９】
2017118469.tif 000011
【図１０】
2017118469.tif 000012
【図１１】
2017118469.tif 000013
【図１２】
2017118469.tif 000014